(57)【要約】【課題】地震発生時等における事務機器の振動を吸収して該事務機器の移動や転倒を防ぐことができる事務機器の振動吸収装置を提供すること。【解決手段】弾性部材によって構成された弾性マット１を複合機（事務機器）１０とその設置面Ｆとの間に介装して事務機器の振動吸収装置を構成する。例えば、前記弾性マット１を、内部に空気を封入したエアマットで構成する。又、前記弾性マット１の上下面に吸着材を貼り付ける。更に、前記弾性マット１のコーナー部に、複合機（事務機器）１０の底面に取り付けられたキャスター１１を避けて切欠き１ａを形成する。【選択図】図１
2012230265.tif 000002
【特許請求の範囲】
【請求項１】
弾性部材によって構成され、事務機器とその設置面との間に介装される弾性マットを用いた事務機器の振動吸収装置であって、
前記弾性マットは、事務機器の底面に当接する第１平面部と前記設置面に当接する第２平面部を対向して備えることを特徴とする事務機器の振動吸収装置。
【請求項２】
前記弾性マットを、内部に空気を封入したエアマットで構成したことを特徴とする請求項１に記載の事務機器の振動吸収装置。
【請求項３】
前記弾性マットの前記第１平面部及び前記第２平面部に吸着材を貼り付けたことを特徴とする請求項１又は２記載の事務機器の振動吸収装置。
【請求項４】
前記弾性マットのコーナー部に、事務機器の底面に取り付けられたキャスターを避けて切欠きを形成したことを特徴とする請求項１〜３の何れかに記載の事務機器の振動吸収装置。
【発明の詳細な説明】
【技術分野】
【０００１】
本発明は、オフィス内に設置された複写機やプリンター等の事務機器の地震等における過大な振動を吸収して該事務機器の移動や転倒を防ぐための振動吸収装置に関するものである。
【背景技術】
【０００２】
近年、オフィスでの複写機やプリンター等の事務機器の地震等による過大な振動に対する安全対策が望まれている。
【０００３】
事務機器の振動に対する安全対策として、例えば特許文献１には、事務機器を設置する床面上に固定部材をボルトで固定し、この固定部材にワイヤーの一端を係止部材を介して固定するとともに、該ワイヤーを事務機器の固定ブラケットに通してキャスターに当接させた状態で事務機器下部の周囲を囲むように張設し、同ワイヤーの他端をロック手段を介して床面又は壁面に係止する構成が提案されている。これによれば、地震や過大な衝撃が発生した場合には、ワイヤーが過大な外力を受けて伸びるため、このワイヤーの伸びによって過大な外力が吸収されて事務機器が保護される。
【０００４】
又、特許文献２には、複数のキャスターとアジャスターを有する事務機器に加えられる衝撃や振動を吸収する手段として、キャスターを受ける輪止め（振動吸収部材）と床面上に固定されたベース板との間に摩擦板を設ける構成が提案されている。これによれば、衝撃・振動エネルギーのうち、従来の衝撃・振動吸収手段では吸収し切れなかったエネルギーを摩擦板の滑りによって吸収することができるため、地震等によって過度の衝撃や振動が加わった場合の事務機器の転倒が防がれるともに、事務機器内部に加わる加速度を減じて事務機器内部の破損や内部ユニット類の飛び出し、扉類の開きを防ぐことができる。
【先行技術文献】
【特許文献】
【０００５】
【特許文献１】特開平９−２８０２８８号公報
【特許文献２】特開平１０−０４８９０２号公報
【発明の概要】
【発明が解決しようとする課題】
【０００６】
しかしながら、特許文献１において提案された構成では、固定部材を床面上にボルトで固定する必要があるため、床面に傷が残る他、床面の状況によっては固定部材をボルトによって固定することができないという問題がある。
【０００７】
又、特許文献２において提案された構成では、ゴム等の弾性材で構成された輪止めの一部に切り込みが形成されているため、キャスターからの外力や振動によって輪止めが切り込み部から開き、輪止めが所期の機能を果たさなくなるばかりか、その強度が不足して破損する可能性があるという問題がある。
【０００８】
本発明は上記問題に鑑みてなされたものであり、その目的とする処は、地震発生時等における事務機器の振動を吸収して該事務機器の移動や転倒を防ぐことができる事務機器の振動吸収装置を提供することにある。
【課題を解決するための手段】
【０００９】
上記目的を達成するため、請求項１記載の発明は、弾性部材によって構成され、事務機器とその設置面との間に介装される弾性マットを用いた事務機器の振動吸収装置であって、前記弾性マットは、事務機器の底面に当接する第１平面部と前記設置面に当接する第２平面部を対向して備えることを特徴とする。
【００１０】
請求項２記載の発明は、請求項１記載の発明において、前記弾性マットを、内部に空気を封入したエアマットで構成したことを特徴とする。
【００１１】
請求項３記載の発明は、請求項１又は２記載の発明において、前記弾性マットの前記第１平面部及び前記第２平面部に吸着材を貼り付けたことを特徴とする。
【００１２】
請求項４記載の発明は、請求項１〜３の何れかに記載の発明において、前記弾性マットのコーナー部に、事務機器の底面に取り付けられたキャスターを避けて切欠きを形成したことを特徴とする。
【発明の効果】
【００１３】
請求項１記載の発明によれば、地震発生時等において事務機器の振動が弾性マットによって効果的に吸収されるとともに、弾性マットの事務機器と設置面との接触面積が大きいために事務機器の設置面上での滑りが抑制されるため、事務機器の移動と転倒が確実に防がれる。
【００１４】
請求項２記載の発明によれば、クッション性の高いエアマットによって事務機器の振動が一層効果的に吸収される。
【００１５】
請求項３記載の発明によれば、弾性マットの第１平面及び第２平面に装着された吸着材によって弾性マットの上下面が事務機器の底面と設置面に密着するため、これらの間に発生する大きな摩擦抵抗によって事務機器の設置面上での滑りが一層効果的に防がれる。
【００１６】
請求項４記載の発明によれば、弾性マットの四隅に形成された切欠きがキャスターの移動を規制する壁となって機能するため、事務機器の設置面上での移動が一層効果的に防がれる。
【図面の簡単な説明】
【００１７】
【図１】本発明に係る振動吸収装置を備える事務機器の設置状態を示す正面図である。
【図２】本発明に係る振動吸収装置を構成するエアマットの斜視図である。
【図３】本発明に係る振動吸収装置を構成するエアマットの断面斜視図である。
【図４】本発明に係る振動吸収装置を構成するエアマットの別形態を示す分解斜視図である。
【図５】図４に示すエアマットを介して設置された事務機器下部の斜視図である。
【図６】図５のＡ−Ａ線矢視図である。
【発明を実施するための形態】
【００１８】
以下に本発明の実施の形態を添付図面に基づいて説明する。
【００１９】
図１は本発明に係る振動吸収装置を備える事務機器の設置状態を示す正面図、図２は本発明に係る振動吸収装置を構成するエアマットの斜視図、図３は同エアマットの断面斜視図、図４は同エアマットの別形態を示す分解斜視図、図５は図４に示すエアマットを介して設置された事務機器下部の斜視図、図６は図５のＡ−Ａ線矢視図である。
【００２０】
図１に示す事務機器１０は、複写機能とプリンター機能及びファクシミリ機能を兼備した複合機であって、該複合機１０は、その底面の四隅に取り付けられた計４つのキャスター１１（図１には２つのみ図示）によって水平な設置面Ｆ上に設置されているが、複合機１０と設置面Ｆとの間には弾性マットとしてのエアマット１が介装されている。
【００２１】
上記エアマット１は、本発明に係る振動吸収装置を構成するものであって、図２及び図４に示すように、ゴム等の弾性材によって薄い矩形の袋状に成形され、その内部には空気注入口２から空気が封入されている。そして、このエアマット１は水平方向に延在して上下方向に対向する第１平面部１ｂおよび第２平面部１ｃを有しており、四隅のコーナー部には、キャスター１１との干渉を避けるための切欠き１ａが形成されている。第１平面部１ｂ及び第２平面部１ｃは複合機１０の装置本体の底面１０ａとほぼ等しい面積を有している。複合機１０を設置場所に設置した状態で、複合機１０の底面１０ａと設置面Ｆの間にエアマット１を挿入して配置する。そして、第１平面部１ｂと第２平面部１ｃの間の側面部に設けられた空気注入口２からポンプ等を用いて空気を注入して塞ぐ。注入された空気の圧力により、第１平面部１ｂは複合機１０の底面１０ａに圧接され、第２平面部１ｃは設置面Ｆに圧接される。エアマット１はゴム等の弾性材で構成されているため、摩擦係数が比較的高く、第１平面部１ｂと複合機１０の底面１０ａ及び第２平面部１ｃと設置面Ｆの間で滑りが発生しにくい。そのため、複合機１０は振動や押される等の衝撃を受けた場合に、設置面Ｆから移動することが防止される。又、エアマット１は弾性部材であり、内部に空気が注入されているため、弾性変形により振動や衝撃の一部が吸収されるため、複合機１０が転倒しにくくなる。
【００２２】
ところで、図４に示すように、図２及び図２に示すエアマット１の第１平面部１ｂ及び第２平面部１ｃにゴム材や固形ゼリー状材料から成る薄い矩形の吸着材３を貼り付けても良い。このように第１平面部１ｂ及び第２平面部１ｃに吸着材が３貼り付けられたエアマット１を複合機１０と設置面Ｆとの間に介装した様子を図５及び図６に示すが、このように上下面第１平面部１ｂ及び第２平面部１ｃに吸着材３が貼り付けられたエアマット１を複合機１０と設置面Ｆとの間に介装することによって、地震発生時等において複合機１０の振動がクッション性が高くて振動吸収性に優れたエアマット１によって効果的に吸収されるとともに、エアマット１の複合機１０と設置面Ｆとの接触面積が大きいために複合機１０の設置面Ｆ上での滑りが抑制されるため、複合機１０の移動と転倒が確実に防がれる。この場合、エアマット１の第１平面部１ｂ及び第２平面部１ｃには吸着力が大きな吸着材３が貼り付けられているため、エアマット１の第１平面部１ｂ及び第２平面部１ｃが吸着材３を介して複合機１０の底面と設置面Ｆに密着し、これらの間に発生する大きな摩擦抵抗によって複合機１０の設置面Ｆ上での滑りが一層効果的に防がれる。
【００２３】
又、本実施の形態では、エアマット１の四隅に形成された切欠き１ａがキャスター１１の移動を規制する壁となって機能するため、エアマット１を複写機１０の底面１０ａに対して偏ることなく適切な位置に設置することが容易になる。又、複合機１０の底面１０ａに補強等のための絞りが形成されて、エアマット１の第１平面部１ｂとの接触面積が、第２平面部１ｃと設置面Ｆの接触面積より小さな場合でも、複合機１０の底面１０ａとエアマット１の第１平面部０ｂの滑りがキャスター１１の切欠き１ａへの当接によって規制されるため、複合機１０の設置面Ｆ上での移動が一層効果的に防がれるという効果が得られる。
【００２４】
尚、以上の実施の形態では、弾性マットとしてエアマットを用いた形態について説明したが、弾性マットとしては全体がゴムで構成された中実のゴムマット、内部に水等の空気以外の流体が充填された流体マット等を使用することができる。
【符号の説明】
【００２５】
１      エアマット（弾性マット）
１ａ    エアマットの切欠き
２      エアマットの空気注入口
３      吸着材
１０    複合機（事務機器）
１１    キャスター
Ｆ      設置面
【図１】
2012230265.tif 000003
【図２】
2012230265.tif 000004
【図３】
2012230265.tif 000005
【図４】
2012230265.tif 000006
【図５】
2012230265.tif 000007
【図６】
2012230265.tif 000008